【手続補正書】
【提出日】平成18年11月17日(2006.11.17)
【手続補正１】
【補正対象書類名】明細書
【補正対象項目名】特許請求の範囲
【補正方法】変更
【補正の内容】
【特許請求の範囲】
【請求項１】
所定の遊技条件の成立に基づいて予め定めた表示遊技を実行し、その実行結果として予め定めた複数の識別情報が特定の組み合わせで揃う特賞表示態様が形成されたとき、遊技者に有利な特別価値を付与するものにおいて、
前記表示遊技を実行するための複数の独立した可変表示部からなる可変表示手段と、該可変表示部の間に配置された１または２以上の補助可変表示部からなる補助可変表示手段と、前記可変表示手段の表示内容を制御する第１表示制御手段と、前記補助可変表示手段の表示内容を制御する第２表示制御手段と、前記特別価値を遊技者に付与する特別価値付与手段とを備え、
前記第１表示制御手段は、前記遊技条件の成立に基づいて前記可変表示手段を構成する前記複数の独立した可変表示部のそれぞれで前記表示遊技を実行するものであり、
前記第２表示制御手段は、前記第１表示制御手段によって前記可変表示手段を構成する前記可変表示部のそれぞれで行われた表示遊技の実行結果がすべて前記特賞表示態様にならず、かつ前記複数の独立した可変表示手段を構成する可変表示部間に配置された補助可変表示手段を構成する補助可変表示部を挟む前記可変表示部に特殊リーチ状態が形成されたことを条件に前記補助可変表示手段に識別情報を表示するものであり、
前記特別価値付与手段は、前記第２表示制御手段が前記補助可変表示手段に表示した識別情報と当該補助可変表示手段の両側に配置された前記可変表示手段に停止表示された識別情報との組み合わせが前記特賞表示態様を形成したとき、前記特別価値を遊技者に付与するものであることを含むことを特徴とする遊技機。
【手続補正２】
【補正対象書類名】明細書
【補正対象項目名】０００７
【補正方法】変更
【補正の内容】
【０００７】
【課題を解決するための手段】
かかる目的を達成するための本発明の要旨とするところは、次項の発明に存する。
［１］所定の遊技条件の成立に基づいて予め定めた表示遊技を実行し、その実行結果として予め定めた複数の識別情報が特定の組み合わせで揃う特賞表示態様が形成されたとき、遊技者に有利な特別価値を付与するものにおいて、
前記表示遊技を実行するための複数の独立した可変表示部（３１〜３４）からなる可変表示手段と、該可変表示部（３１〜３４）の間に配置された１または２以上の補助可変表示部（３５）からなる補助可変表示手段と、前記可変表示手段の表示内容を制御する第１表示制御手段（１８１）と、前記補助可変表示手段の表示内容を制御する第２表示制御手段（１８２）と、前記特別価値を遊技者に付与する特別価値付与手段（９０、１２２）とを備え、
前記第１表示制御手段（１８１）は、前記遊技条件の成立に基づいて前記可変表示手段を構成する前記複数の独立した可変表示部（３１〜３４）のそれぞれで前記表示遊技を実行するものであり、
前記第２表示制御手段（１８２）は、前記第１表示制御手段（１８１）によって前記可変表示手段を構成する前記可変表示部（３１〜３４）のそれぞれで行われた表示遊技の実行結果がすべて前記特賞表示態様にならず、かつ前記複数の独立した可変表示手段を構成する可変表示部（３１〜３４）間に配置された補助可変表示手段を構成する補助可変表示部（３５）を挟む前記可変表示部（３１〜３４）に特殊リーチ状態が形成されたことを条件に前記補助可変表示手段に識別情報を表示するものであり、
前記特別価値付与手段（９０、１２２）は、前記第２表示制御手段（１８２）が前記補助可変表示手段に表示した識別情報と当該補助可変表示手段の両側に配置された可変表示手段に停止表示された識別情報との組み合わせることが前記特賞表示態様が形成したとき、前記特別価値を遊技者に付与するものであることを含むことを特徴とする遊技機。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
前記本発明は次のように作用する。
第１表示制御手段（１８１）は、球が始動口へ入賞するなどの遊技条件の成立に基づいて複数の可変表示手段を構成する複数の可変表示部（３１〜３４）のそれぞれで表示遊技を実行する。たとえば、遊技盤上に４つの可変表示部（３１〜３４）を配置し、それぞれで個別の表示遊技を行って４つの表示遊技を一度に実行する等である。
【手続補正９】
【補正対象書類名】明細書
【補正対象項目名】００１４
【補正方法】変更
【補正の内容】
【００１４】
第２表示制御手段（１８２）は、第１表示制御手段（１８１）によって可変表示手段を構成する可変表示部（３１〜３４）のそれぞれで行われた表示遊技の実行結果がすべて特賞表示態様にならず、かつ補助可変表示手段を構成する補助可変表示部（３５）の両側に配置された可変表示部（３１〜３４）に停止表示された識別情報と補助可変表示部（３５）に今後表示される識別情報とを組み合わせることで特賞表示態様に成り得る特殊リーチ状態が形成されたとき、補助可変表示部（３５）に何らかの識別情報を表示する。
【手続補正１０】
【補正対象書類名】明細書
【補正対象項目名】００１５
【補正方法】変更
【補正の内容】
【００１５】
特別価値付与手段（９０、１２２）は、可変表示手段を構成する可変表示部（３１〜３４）のいずれかの可変表示部（３１〜３４）で行われた表示遊技の実行結果が特賞表示態様になったとき、または第２表示制御手段（１８２）が補助可変表示手段を構成する補助可変表示部（３５）に表示した識別情報と当該補助可変表示部（３５）の両側に配置された可変表示部（３１〜３４）に停止表示された識別情報とを組み合わせることで特賞表示態様が形成されたとき、大入賞口を所定回数にわたって開閉するなどの特別価値を遊技者に付与する。
【手続補正１１】
【補正対象書類名】明細書
【補正対象項目名】００１６
【補正方法】変更
【補正の内容】
【００１６】
このように可変表示手段を構成する複数の可変表示部（３１〜３４）を用いて一度に複数の表示遊技を実行するので、遊技者に当たりの出る可能性が高いような印象を与え、当たりの出現に対する期待感を喚起することができる。またすべての表示遊技が外れに終わった際に特殊リーチ状態が形成されていれば、可変表示部（３１〜３４）間に配置された補助可変表示部（３５）に新たに識別情報が表示され、これとその両側の可変表示部（３１〜３４）に停止表示された識別情報との組み合わせ次第で特賞表示態様の形成される場合があるので、一旦外れになってから当たりに遷移する機会を再度与える際の展開が変化に富むものになる。
【手続補正１２】
【補正対象書類名】明細書
【補正対象項目名】００１７
【補正方法】変更
【補正の内容】
【００１７】
なお、所定の直線上に複数の識別情報が特定の組み合わせで揃う表示態様を特別表示態様とするものでは、可変表示部（３１〜３４）および補助可変表示部（３５）は、補助可変表示部（３５）とその両側に配置された可変表示部（３１〜３４）に停止表示される識別情報とが直線上に並び得るように配置される。
【手続補正１３】
【補正対象書類名】明細書
【補正対象項目名】００１８
【補正方法】変更
【補正の内容】
【００１８】
特殊リーチ状態を２つ以上同時に形成し得るように補助可変表示部（３５）および前記可変表示部（３１〜３４）を配置したものでは、一旦外れになった場合でも、遊技者の当たりに対する期待感を十分に高めることができ、スリルと興奮を喚起することができる。
【手続補正１４】
【補正対象書類名】明細書
【補正対象項目名】００１９
【補正方法】変更
【補正の内容】
【００１９】
より具体的には、可変表示部（３１〜３４）を、「７７７」などのように複数の識別情報を横一列に並べて停止表示し得るものとし、補助可変表示部（３５）を、１つの識別情報を停止表示し得るものとし、補助可変表示部（３５）の右斜め上、左斜め上、右斜め下、左斜め下のそれぞれに可変表示部（３１〜３４）を配置する。これにより、補助可変表示部（３５）を通る右下がり斜めの直線上や左下がり斜めの直線上など、可変表示部（３１〜３４）だけで展開される表示遊技とは異なる箇所に特賞表示態様が出現し、遊技の目新しさや面白みを増すことができる。
【手続補正１５】
【補正対象書類名】明細書
【補正対象項目名】００２０
【補正方法】変更
【補正の内容】
【００２０】
なお、補助可変表示部（３５）の上下両側に隣接して可変表示部（１００１、１００２）を配置してもよい。この場合には、通常横一列に揃う特賞表示態様を、補助可変表示部（３５）との組み合わせで縦のラインや斜めのライン上に出現させることができる。